(57)【要約】【課題】手すりの取り付けに不慣れな者に対して、手すりの取り付け手順を、施工説明書で確実に示すことができる手すり部品梱包材を提供する。【解決手段】壁面６に取り付けられる手すり部品が収容、梱包される、施工説明書２０を有した箱状の手すり部品梱包材１であって、施工説明書２０は、手すり部品梱包材１の箱本体から切り離し可能とされており、手すりの取り付け手順を示した手順書部２１と、壁面６に設けた固定具（保持部材２）に施工説明書２０を引っ掛け保持できるようにした引っ掛け部２２とを備えている。【選択図】図１
2014114071.tif 000002
【特許請求の範囲】
【請求項１】
壁面に取り付けられる手すり部品が収容、梱包される、施工説明書を有した箱状の手すり部品梱包材であって、
前記施工説明書は、前記手すり部品梱包材の箱本体から切り離し可能とされており、手すりの取り付け手順を示した手順書部と、壁面に設けた固定具に前記施工説明書を引っ掛け保持できるようにした引っ掛け部とを備えたことを特徴とする手すり部品梱包材。
【請求項２】
請求項１において、
前記固定具は、前記手すり部品に含まれる手すり保持用の保持部材で構成されており、
前記手順書部には、前記保持部材以外の前記手すり部品を、前記壁面に取り付けられた前記保持部材に取り付ける手順が少なくとも示されており、
前記引っ掛け部は、前記壁面に取り付けられた前記保持部材に引っ掛けられる構成とされている、手すり部品梱包材。
【請求項３】
請求項１または２において、
前記手順書部は、前記箱本体の内側の面に配されている、手すり部品梱包材。
【請求項４】
請求項１〜３のいずれか１項において、
前記箱本体は、内蓋と外蓋とを含む蓋部を有しており、
前記施工説明書は、前記蓋部の一部で構成されており、
前記引っ掛け部は、孔部で構成され、前記外蓋と前記内蓋との重合部に形成されている、部品梱包材。
【発明の詳細な説明】
【技術分野】
【０００１】
本発明は、壁面に取り付けられる手すり部品が収容、梱包される、箱状の手すり部品梱包材に関する。
【背景技術】
【０００２】
階段等の手すりの施工において、柱状の手すり本体は、特許文献１に示すように、手すり本体を支持、固定するための支持部材（ブラケット）を介して壁面に取り付けられる。具体的にはたとえば、つぎの手順で施工される。
【０００３】
（１）ブラケットを取り付け固定するための複数の保持部材（着脱用ナット）を壁面に取り付ける。
（２）ブラケットを、壁面に取り付けた保持部材に固定する。具体的には、壁面への固定はつぎの手順で行われる。
（２−１）ブラケットのカバーを外し、その台座部に設けた挿通孔に着脱用ナットを挿通させ、挿通孔からブラケットの中空部側に突出した着脱用ナットの締め付け操作によりブラケットを正しい位置、向きに固定する。
（２−２）固定ねじでブラケットを壁面に固定する。
（２−３）ブラケットにカバーを取り付ける。
（３）手すり本体を、壁面に固定した複数のブラケットに固定する。
【０００４】
手すりの施工は上記の手順で実施されるが、壁紙の貼り付け作業を、手すりが取り付けられていない状態で効率よく行うため、上記（１）を実施した後、壁紙の貼り付け作業を実施し、その後、上記（２）、（３）の作業を実施する必要がある。
【０００５】
通例では、手すり施工業者の作業手間を考慮して、つぎの手順で手すりの施工がなされる。
【０００６】
（ａ）上記（１）〜（３）を実施（仮施工）して、手すりが確実に取り付けられることを確認する。
（ｂ）手すり本体と、それに取り付け固定されたブラケットとを一体化された状態のまま取り外す。
（ｃ）壁紙の貼り付け作業を実施する。
（ｄ）ブラケットを一体化した手すり本体を壁面に取り付ける。つまり、手すり本体に固定されたブラケットを対応する保持部材に、順次固定していく。
【０００７】
一般的には、手すり施工業者（大工）が上記（ａ）、（ｂ）を実施し、内装業者が上記（ｃ）、（ｄ）を実施する。なお、上記（ｂ）は、内装業者に委ねられる場合もある。つまり、手すり施工業者が、内装業者の作業を間にはさんで２度、現場で作業をすることがないように効率化が図られている。
【０００８】
このように、手すりの施工においては、内装業者が施工の仕上げ施工（再取り付け）を行うことが通例となっていた。
【先行技術文献】
【特許文献】
【０００９】
【特許文献１】特開平１１−１３１７４２号公報
【発明の概要】
【発明が解決しようとする課題】
【００１０】
ところで、上記（１）〜（３）の手順は、着脱用ナットやブラケット、固定ねじなどの手すり部品が収容された手すり部品梱包材に同梱された施工説明書に記載されている。そのため、内装業者は、上記施工説明書を見れば手すり施工の仕上げを支障なく実施することができる。
【００１１】
しかしながら、手すり施工業者が壁紙貼り付け前にすべき手すり施工作業を終えると、自身の作業は完結するため、ほとんどの場合、上記施工説明書は破棄されてしまう。したがって、そのような場合には、内装業者は不慣れな手すりの再取り付け（仕上げ施工）を施工説明書を参照することなく行わなければならない。
【００１２】
本発明は、このような事情を考慮して提案されたもので、その目的は、手すりの取り付けに不慣れな者に対して、手すりの取り付け手順を、施工説明書で確実に示すことができる手すり部品梱包材を提供することにある。
【課題を解決するための手段】
【００１３】
上記目的を達成するために、本発明の手すり部品梱包材は、壁面に取り付けられる手すり部品が収容、梱包される、施工説明書を有した箱状の手すり部品梱包材であって、施工説明書は、手すり部品梱包材の箱本体から切り離し可能とされており、手すりの取り付け手順を示した手順書部と、壁面に設けた固定具に施工説明書を引っ掛け保持できるようにした引っ掛け部とを備えたことを特徴とする。
【００１４】
また、本発明において、固定具は、手すり部品に含まれる手すり保持用の保持部材で構成され、手順書部には、保持部材以外の前記手すり部品を、壁面に取り付けられた保持部材に取り付ける手順が少なくとも示され、引っ掛け部は、壁面に取り付けられた保持部材に引っ掛けられる構成とされるようにしてもよい。
【００１５】
さらに、本発明において、手順書部が箱本体の内側の面に配された構成としてもよい。
【００１６】
またさらに、箱本体は、内蓋と外蓋とを含む蓋部を有し、施工説明書は、蓋部の一部で構成され、引っ掛け部は、孔部で構成され、外蓋と前記内蓋との重合部に形成された構成としてもよい。
【発明の効果】
【００１７】
本発明の手すり部品梱包材によれば、上述の構成としているため、手すりの取り付けに不慣れな者に対して、手すりの取り付け手順を施工説明書で確実に示すことができる。
【図面の簡単な説明】
【００１８】
【図１】本発明の一実施形態に係る手すり部品梱包材の説明図であって、（ａ）は手すり部品梱包材が開いた状態の斜視図、（ｂ）は閉じた状態の平面図、（ｃ）は施工説明書の平面図（外蓋の裏面図）である。
【図２】（ａ）は施工説明書の使用態様を示した概略正面図、（ｂ）は施工説明書の吊り下げ保持状態を示す同拡大縦断面図、（ｃ）は施工説明書を引っ掛ける保持部材の平面図、（ｄ）は保持部材の着脱用ナットとしての機能を説明するための手すり部品（ブラケット）の部分正面図である。
【図３】施工説明書に含まれる手順書部のうちの取り外し手順部分の一例を示す図である。
【図４】施工説明書に含まれる手順書部のうちの取り付け手順部分の一例を示す図である。
【発明を実施するための形態】
【００１９】
以下に、本発明の実施の形態について、添付図面にもとづいて説明する。
【００２０】
本実施形態の手すり部品梱包材１は、図１（ａ）に示すように、屋内の階段７（図２参照）等に対応した手すりを壁面６（図２参照）に取り付けるための手すり部品を収容、梱包する段ボール箱等の折り畳み可能な箱状の容器で構成されている。なお、この箱状の容器は、段ボール箱のように１枚の板状材より加工成形したものを用いることが望ましい。また、手すり部品梱包材１は、プラスチック箱で構成されたものでもよい。
【００２１】
この手すり部品梱包材１は、壁面６に埋め込まれる保持部材２、その保持部材２と壁面６とに固定され、手すり本体４を支持固定する支持部材（ブラケット３（図２参照））、その支持部材を固定するための固定ねじなどの手すり部品が収容される容器である。なお、手すり部品梱包材１は、手すり本体４が収容される箱容器であってもよい。
【００２２】
この手すり部品梱包材１の箱本体は、図１（ａ）に示すように、底部１４および蓋部１０がともに二重構造となっている。蓋部１０は、短手の両側壁部１３、１３の上端にフラップ状に取り付けられた内蓋１１、１１と、長手の側壁部１３、１３のうちの一方の側壁部１３の上端にフラップ状に取り付けられた外蓋１２とよりなる。
【００２３】
内蓋１１の長さ寸法（回動半径）は、外蓋１２の長手辺の長さ寸法よりも十分に小さく、両内蓋１１、１１を閉じたときには先端同士は重ならず、中央が開口する（図１（ｂ）参照）。
【００２４】
外蓋１２は、図１（ａ）に示すように、外蓋本体１２ａと、先端に設けられた差込片１２ｂとよりなる。両内蓋１１、１１を閉じ、その上から外蓋１２を閉じ、外蓋１２の差込片１２ｂを長手の側壁部１３の内側に差し込むことで、箱本体は閉じた状態となる。
【００２５】
この外蓋本体１２ａの側壁部１３との境界部および差込片との境界部には、小孔が連続したミシン目（切り取り線）１５、１５が形成されており、外蓋本体１２ａのみを他から容易に切り離すことができる。なお、段ボール材の波状に形成した芯紙により形成された多数の中空部が外蓋本体１２ａの長手方向に沿って配されたものでは、その中空部に沿って容易に段ボール材を切断することができるため、ミシン目１５を有しない構成としてもよい。また、プラスチックで形成した箱本体の場合には、回動軸部を薄く形成して、鋏やカッターナイフで容易に切断できるようにしてもよい。
【００２６】
なお、手すり部品梱包材１の箱本体は、図例のものに限られず、種々の形状、構造、素材のものを適用できる。少なくとも箱本体の一部を切り離し可能とした手すり部品梱包材１であればよい。
【００２７】
上記のような箱本体より切り離し可能とした部位（本実施形態では外蓋本体１２ａ）が、手すり（手すり本体４やその他手すり部品（図２参照））を壁面６（図２参照）に取り付け施工するための施工説明書２０を構成する。
【００２８】
施工説明書２０は、外蓋本体１２ａの内側の面に配された手順書部２１（図１（ａ）中細破線で囲んだ部位）と、外蓋本体１２ａの表裏を貫通する貫通孔等の孔部で構成された施工説明書２０を壁面６の固定具にぶら下げるための引っ掛け部２２とを有している。なお、孔部としては凹み（穴）で構成されたものでもよい。また、引っ掛け部２２は、保持部材２を挿通させることのできる孔部で構成しなくてもよく、固定具に引っ掛け可能な紐やフックなどで構成してもよい。
【００２９】
また、固定具として本実施形態では、後述するように、手すり部品である保持部材２（図２参照）を用いる例を示したが、たとえばビスや釘などを壁面６に取り付けて固定具を構成してもよい。
【００３０】
手順書部２１は、手すりの壁面６への取り付け手順が文字や絵などで記載された部位であり、外蓋本体１２ａの内側の面に取り付け手順を直接印刷して構成されている。手すり部品梱包材１の箱本体として、段ボール箱のような１枚の板状材を加工形成したものを採用すれば、その加工前の板状材の状態において手順書部２１を直接印刷することができるので望ましい。なお、手順書部２１は、手順書印刷物を外蓋本体１２ａの内側の面に貼着して構成してもよい。
【００３１】
この手順書部２１には、図１（ｃ）に示すように、手すり本体４とブラケット３との一体物を壁面６より取り外すための取り外し手順部分２１ａと、手すり本体４とブラケット３との一体物を壁面６に再取り付けするための取り付け手順部分２１ｂとよりなる。なお、手順書部２１に記載された手順は、手すり（保持部材２以外の手すり部品である手すり本体４、ブラケット３、固定ねじなど）の取り付け手順が少なくとも含まれていればよい。つまり、手順書部２１には、内装業者等の手すり施工に不慣れな者が、取り外した手すり本体４とブラケット３とを、一体物としてあるいは個別に取り付けることができるような、手すりの再取り付け（仕上げ施工）の手順が少なくとも記載されていればよい。
【００３２】
通例、手すり施工業者の作業効率を考慮して、背景技術欄で記述した（１）〜（３）の手順を手すり施工業者が実施したのち、壁紙貼り付け作業を実施するために、手すり本体４とブラケット３との一体物を取り外す。そして、内装業者が壁紙の貼り付け作業をしたのち、手すり本体４とブラケット３との一体物を再取り付けをする。
【００３３】
したがって、内装業者が、手すり本体４およびブラケット３の再取り付けをするための取り付け手順が少なくとも手順書部２１に含まれていればよい。この手順書部２１は、手すり本体４とブラケット３との一体物を取り付ける手順書でもよいが、手すり取り付けの不慣れな手すり施工業者が施工することを考慮して、上記（１）〜（３）の手順をそのまま記載した手順書であってもよい。
【００３４】
また、引っ掛け部２２は、手順書部２１の文字や絵に重ならないように外蓋本体１２ａの端部近傍に設けることが望ましい。図例では外蓋本体１２ａの長手辺縁近傍の中央位置に引っ掛け部２２が設けてあるが、図１（ｂ）の×印１７の位置に設けた構成としてもよい。この×印の位置は外蓋１２と内蓋１１との重合部１６であるため、内蓋１１により貫通孔は内部空間との連通が遮られている。
【００３５】
そのため、引っ掛け部２２として設けた貫通孔より内部の手すり部品が外部に落下したり、外部から他の物が入り込んだりすることを防止できる。また、貫通孔は重合部１６にあるため目立たず見映えもよい。また、引っ掛け部２２はミシン目で切り取れるようにしてもよい。
【００３６】
本実施形態の例では、施工説明書２０を外蓋本体１２ａで構成した例を示したが、手すり部品梱包材のその他の部位で施工説明書２０を構成してもよい。たとえば、施工説明書２０は内蓋１１、底部１４、側壁部１３で構成するようにしてもよいし、複数の部位の組み合わせによって構成するようにしてもよい。たとえば、外蓋本体１２ａに取り付け手順部分２１ｂを含む手順書部を設け、内蓋１１に取り外し手順部分２１ａよりなる手順書部を設けた構成としてもよい。
【００３７】
以上のような施工説明書２０は、手すり部品梱包材１から切り離されて、図２（ａ）に示すように、階段７に沿って壁面６に埋め込み固定された複数の保持部材２、２、・・・のうちの適宜な保持部材２に吊り下げられて使用される。具体的には、施工説明書２０は、図２（ｂ）の拡大縦断面図に示すように、引っ掛け部２２（貫通孔）を保持部材２の壁面６より突出した部分に引っ掛けて吊り下げ保持される。
【００３８】
図２では、ブラケット３および手すり本体４を取り外した状態で保持部材２に施工説明書２０を吊り下げる例を示したが、施工説明書２０を壁面６とブラケット３との間に挟み込むように吊り下げておいてもよい。なお、このように施工説明書２０を挟み込むことを想定して、手順書部２１はブラケット３によって隠れることのない位置に配することが望ましい。
【００３９】
保持部材２は、手すり本体４を所定の位置に固定するためのブラケット３の台座部３ａを壁面６に仮止めするための略円柱状の埋め込み部材であり、回転操作によって着脱できるようにした着脱用ナットで構成されている。保持部材２の先端には、側方に突出した抜け止め部２ａが形成されている。
【００４０】
この抜け止め部２ａは、ブラケット３を仮止めする作用を有している。図２（ｄ）は、保持部材２（実線）とブラケット３の台座部３ａに設けた挿通孔３ｂ（２点鎖線）との関係を示した図である。この図に示すように、保持部材２をブラケット３の台座部３ａの挿通孔３ｂより突出させ、保持部材２を矢印方向に回転操作することで、抜け止め部２ａがブラケット３の挿通孔３ｂの周辺部を押圧して、ブラケット３が仮止めされる。また、逆方向に回転操作して元の位置に戻すことで、取り外しできる。
【００４１】
ついで、施工説明書２０の手順書部２１の具体例について、図３および図４を参照しながら説明する。なお、これらの図は手順書部２１内の手順内容をそのまま図示したものであるため、その手順書部２１内における各部材については符号は付していない（以下の説明における手すり部品等の符号については図１および図２を参照）。
【００４２】
図３は、手順書部２１のうち手すりの取り外し手順を示す部分である。
【００４３】
この取り外し手順部分２１ａには、手すり（手すり本体４とブラケット３との一体物）の取り外し手順が記載されている。図例では、１）ブラケット３の固定ねじの取り外し、２）着脱用ナットの回転操作によるブラケット３の着脱用ナットからの分離、３）全ブラケット３についての１）、２）の実施  について順に示してある。
【００４４】
このような手順書部２１が前方に向けて示してあるので、内装業者やその他手すり施工の不慣れな者でも、この手順書部２１の手順を見ながら簡単に手すりを取り外すことができる。
【００４５】
図４は、手順書部２１のうち手すりの取り付け手順を示す部分である。つまり、この手順は、内装業者が壁紙貼り付け作業を終えたのちに行う手すりの仕上げ施工（再取り付け作業）についての手順である。
【００４６】
この取り付け手順部分２１ｂには、手すり（手すり本体４とブラケット３との一体物）の取り付け手順が記載されている。図例では、１）着脱用ナットによるブラケット３の固定（仮止め）、２）固定ねじによるブラケット３の固定、３）カバーの取り付け、４）全ブラケット３についての１）〜３）の実施  について示してある。
【００４７】
このような手順書部２１が前方に向けて示してあるので、内装業者やその他手すり施工の不慣れな者でも、この手順書部２１の手順を見ながら簡単にかつ間違いなく手すりを取り付けることができる。
【００４８】
以上のように、内装業者が手すりの仕上げ施工を行えるため、手すり施工業者は、壁紙貼り付け作業ののち現場に出向く必要はなく、作業の効率化を図ることができる。
【符号の説明】
【００４９】
１        手すり部品梱包材
１０      蓋部
１１      内蓋
１２      外蓋
１５      ミシン目
１６      重合部
２０      施工説明書
２１      手順書部
２２      引っ掛け部
２        保持部材（着脱用ナット）（固定具）（手すり部品）
３        ブラケット（手すり部品）
４        手すり本体
６        壁面
【図１】
2014114071.tif 000003
【図２】
2014114071.tif 000004
【図３】
2014114071.tif 000005
【図４】
2014114071.tif 000006